(57)【要約】【課題】従来の結ばなくても靴の締め付けを保持できる靴紐よりも、紐通し作業や締め付け調整作業がより一層容易な靴紐を提供することを目的とする。【解決手段】紐長手方向両側に夫々、靴１の足甲部２の左右に設けられる紐通し孔３の孔径よりも大径に形成されると共に、伸縮自在に弾性変形する構成とされ引っ張り操作により該引っ張り操作方向に伸長弾性変形して紐通し孔３の孔径よりも小径形状に変形するこぶ状部４が複数並設されてなるこぶ領域部５と、これら各こぶ領域部５の間の略全域に亘って、紐通し孔３の孔径よりも小径で且つ略一定の太さに形成される太さ一定領域部６とからなる靴紐。【選択図】図３
2019033923.tif 000002
【特許請求の範囲】
【請求項１】
紐長手方向両側に夫々、靴の足甲部の左右に設けられる紐通し孔の孔径よりも大径に形成されると共に、伸縮自在に弾性変形する構成とされ引っ張り操作により該引っ張り操作方向に伸長弾性変形して前記紐通し孔の孔径よりも小径形状に変形するこぶ状部が複数並設されてなるこぶ領域部が設けられていて、前記紐通し孔に挿通され前記足甲部に装着された状態にて最後の紐通し孔を通過して引き出された前記こぶ領域部を引っ張り操作することで、前記紐通し孔の内側に係止するこぶ状部が前記引っ張り操作により伸長弾性変形して前記紐通し孔よりも小径形状になって該紐通し孔を通過移動して締め上げることができ、この締め上げ状態にて前記引っ張り操作を解除することで、前記紐通し孔を通過した前記こぶ状部が、前記小径形状からもとの紐通し孔の孔径よりも大径な非変形状態に戻り変形して、前記紐通し孔に対して戻り通過移動不能な状態となることにより、前記最後の紐通し孔から引き出された各こぶ領域部同士を結ばなくても、前記引っ張り操作により締め上げた状態が弛まないように構成される靴紐において、紐長手方向両側に設けられた各前記こぶ領域部の間の略全域に亘って、前記紐通し孔の孔径よりも小径で且つ略一定の太さに形成される太さ一定領域部が形成されており、この太さ一定領域部は、管状に形成される伸縮性部材に、該伸縮性部材よりも長尺な非伸縮性部材が弛み状態で設けられて成り、長手方向に引っ張り作用が生じると前記伸縮性部材が伸長弾性変形し、この伸長弾性変形に伴って弾性復帰力が生じ、この弾性復帰力により前記足甲部を緊締する足甲部緊締作用が生じる構成とされると共に、前記長手方向への引っ張り作用が大きくなるに連れ、前記伸縮性部材は引っ張り方向に伸び、前記非伸縮性部材は弛みが減少し、この非伸縮性部材の弛みがなくなった際には、これ以上前記伸縮性部材が伸長変形しないように構成されることを特徴とする靴紐。
【請求項２】
各前記こぶ領域部のトータル長さと前記太さ一定領域部との長さが略同等に設定されることを特徴とする請求項１記載の靴紐。
【請求項３】
請求項１，２のいずれか１項に記載の靴紐を具備することを特徴とする靴。
【発明の詳細な説明】
【技術分野】
【０００１】
本発明は、結ばなくても靴の足甲部の緊締状態を保持することができる靴紐及びこの靴紐を具備する靴に関するものである。
【背景技術】
【０００２】
従来、この種の靴紐として、例えば特許文献１に開示されるようなもの（以下、従来例という）がある。
【０００３】
この従来例は、間隔をあけて繰返し配置され、自身に加えられる軸方向張力の大小によって径の大きさが変化するこぶを有する伸縮性素材からなるチューブ状ひも本体と、ひも本体のチューブ構造によって構成される中心の管部分に非伸縮性素材からなり、こぶのコアを構成し、こぶの径変化に応じたこぶ両端距離の変化に追随するようにこぶ対応部分にて丸められた中心ひもとで構成されており、軸方向張力を加えてこぶの径が小さくなるよう収縮させ、この状態でひもをひも孔に通し、ひも孔への通しが終えたらひもに加えた軸方向張力を弱めてこぶの径が大きくなるように膨張させ、このこぶが膨張することでひも孔にひっかかり、ひもを結ぶ作業を経ることなく固定効果（ひもを結んだ際の締め上げ保持効果）が得られることを可能としたものである。
【０００４】
よって、例えば、この従来例を靴紐として用いた場合、各ひも孔にこぶが係止して走るなどの運動をしても締め付け力が緩まず、靴が足にしっかりとフィットした状態が保持される効果が発揮される。
【０００５】
しかしながら、この従来例を靴紐として用いた場合、紐全体に形成される多数のこぶを足甲部に設けられた多数のひも孔に対してほぼ全て通過させなければならず、紐通し作業が非常に厄介なものとなってしまう。
【０００６】
また、締め付け状態を調整する際も、同様に一々全てのこぶを移動させなければならず、簡単に締め付け具合を調整することができない不便さがあった。
【０００７】
このような背景のもと、本出願人は、この従来例で生じる上記問題を解決すべく、この結ぶことをしなくても靴の足甲部の締め付け状態を保持することができる靴紐において、紐通し作業や締め付け具合調整作業を容易に行うことができる靴紐を提案している（特許文献２）。
【０００８】
この本出願人が提案する靴紐は、紐通し孔よりも大径な大径こぶ部が設けられる領域を、紐長手方向の端部側、具体的には、通常の最後の紐通し孔から引き出され遊離状態となる紐両側の紐先端側部の所定範囲だけにし、これ以外の領域、すなわち、紐両側に設けられた大径こぶ部が複数並設される大径こぶ領域部で挟まれる紐中間部分は、紐通し孔の孔径よりも小径で弾性変形自在に構成される小径こぶ部が間隔をおいて複数並設される構成として、引っ張り操作により伸長小径化変形させて紐通し孔を通過させる大径こぶ部の数を少なくして、紐通し作業や締め付け具合調整作業が容易になるようにしたものである。
【先行技術文献】
【特許文献】
【０００９】
【特許文献１】特許第５０７９９２６号公報
【特許文献２】特願２０１６−２４０２５０号
【発明の概要】
【発明が解決しようとする課題】
【００１０】
本発明は、本出願人が先に提案した靴紐（特願２０１６−２４０２５０号）に係る発明をさらに改良したものであり、より紐通し作業や締め付け具合調整作業を容易にすると共に、より優れた足甲部緊締作用を発揮する靴紐を提供することを目的とする。
【課題を解決するための手段】
【００１１】
添付図面を参照して本発明の要旨を説明する。
【００１２】
紐長手方向両側に夫々、靴１の足甲部２の左右に設けられる紐通し孔３の孔径よりも大径に形成されると共に、伸縮自在に弾性変形する構成とされ引っ張り操作により該引っ張り操作方向に伸長弾性変形して前記紐通し孔３の孔径よりも小径形状に変形するこぶ状部４が複数並設されてなるこぶ領域部５が設けられていて、前記紐通し孔３に挿通され前記足甲部２に装着された状態にて最後の紐通し孔３を通過して引き出された前記こぶ領域部５を引っ張り操作することで、前記紐通し孔３の内側に係止するこぶ状部４が前記引っ張り操作により伸長弾性変形して前記紐通し孔３よりも小径形状になって該紐通し孔３を通過移動して締め上げることができ、この締め上げ状態にて前記引っ張り操作を解除することで、前記紐通し孔３を通過した前記こぶ状部４が、前記小径形状からもとの紐通し孔３の孔径よりも大径な非変形状態に戻り変形して、前記紐通し孔３に対して戻り通過移動不能な状態となることにより、前記最後の紐通し孔３から引き出された各こぶ領域部５同士を結ばなくても、前記引っ張り操作により締め上げた状態が弛まないように構成される靴紐において、紐長手方向両側に設けられた各前記こぶ領域部５の間の略全域に亘って、前記紐通し孔３の孔径よりも小径で且つ略一定の太さに形成される太さ一定領域部６が形成されており、この太さ一定領域部６は、管状に形成される伸縮性部材７に、該伸縮性部材７よりも長尺な非伸縮性部材８が弛み状態で設けられて成り、長手方向に引っ張り作用が生じると前記伸縮性部材７が伸長弾性変形し、この伸長弾性変形に伴って弾性復帰力が生じ、この弾性復帰力により前記足甲部２を緊締する足甲部緊締作用が生じる構成とされると共に、前記長手方向への引っ張り作用が大きくなるに連れ、前記伸縮性部材７は引っ張り方向に伸び、前記非伸縮性部材８は弛みが減少し、この非伸縮性部材８の弛みがなくなった際には、これ以上前記伸縮性部材７が伸長変形しないように構成されることを特徴とする靴紐に係るものである。
【００１３】
また、各前記こぶ領域部５のトータル長さと前記太さ一定領域部６との長さが略同等に設定されることを特徴とする請求項１記載の靴紐に係るものである。
【００１４】
また、請求項１，２のいずれか１項に記載の靴紐９を具備することを特徴とする靴に係るものである。
【発明の効果】
【００１５】
本発明は上述のように構成したから、従来のものに比べて、紐通し作業や締め付け具合調整作業が容易になる。
【００１６】
さらに、本発明の太さ一定領域部により、靴紐全体の伸長弾性変形量が大きくなり、この伸長弾性変形に伴って生じる弾性復帰作用が向上し、従来のものに比べて、より優れた足甲部緊締作用を発揮する。
【００１７】
さらに、太さ一定領域部は、紐通し孔に対して良好な通過移動性を有し、また、良好な伸縮性も有することから、靴を足に良好に固定している（良好に締め付けている）にもかかわらず、血管が集中している足の甲を圧迫し過ぎず、足のむくみ等の経時変化にも対応して自然に緊締強度が調整され、良好な履き心地が維持され、また、足の健康にも良好に作用する。
【００１８】
このように、本発明は、従来のものに比べて、使い勝手が良く、また、緊締作用も良好な実用性に優れた画期的な靴紐となる。
【図面の簡単な説明】
【００１９】
【図１】本実施例を示す斜視図である。
【図２】本実施例を示す正面図である。
【図３】本実施例の靴紐を示す正面図である。
【図４】（ａ）本実施例の靴紐の非引っ張り操作状態（通常状態）を示す説明拡大図である。（ｂ）本実施例の靴紐の引っ張り操作による伸長弾性変形状態を示す説明拡大図である。
【図５】（ａ）図４（ａ）における靴紐内部状態を示す説明断面図である。（ｂ）図４（ｂ）における靴紐内部状態を示す説明断面図である。
【図６】本実施例の使用状態（靴紐締め上げ状態）を示す説明図である。
【図７】本実施例の使用状態（靴紐締め上げ解除後の状態）を示す説明図である。
【図８】本実施例のこぶ状部（こぶ領域部）の紐通し孔挿通時の状態を示す説明図である。
【図９】本実施例のこぶ状部（こぶ領域部）の紐通し孔挿通後の状態を示す説明図である。
【図１０】本実施例の太さ一定領域部の紐通し孔挿通時の状態を示す説明図である。
【図１１】本実施例の靴紐の靴紐自由端部を靴紐先端係止部に挿通配設する状態を示す説明図である。
【発明を実施するための形態】
【００２０】
好適と考える本発明の実施形態を、図面に基づいて本発明の作用を示して簡単に説明する。
【００２１】
本発明は、紐長手方向両側に設けられた各こぶ領域部５の間の略全域に亘って、紐通し孔３の孔径よりも小径で且つ略一定の太さに形成される太さ一定領域部６が形成される構成とされているから、この太さ一定領域部６を靴１の紐通し孔３に挿通して足甲部２に装着する際、滑らかで引っ掛かりがなくスムーズに紐通し作業を行うことができ、また、締め付け具合調整作業においても、紐通し作業と同様、引っ掛かりが無いので、容易に且つスムーズに調整作業を行うことができる。
【００２２】
また、従来のこの種の靴紐は、靴紐の全体に亘って大なり小なりのこぶ部が配置されていて、詳細には、伸縮自在に弾性変形するこぶ部と、非伸縮性の連結部とが間隔をおいて交互に配置されている構成とされるので、引っ張り操作において、連結部は非伸縮性のため、こぶ部のみが伸長弾性変形するが、本発明の太さ一定領域部６は、前述の非伸縮性の連結部がなく、太さ一定領域部６全体が伸縮自在に弾性変形するので、本発明は、引っ張り操作において、こぶ状部４が配置されるこぶ領域部５は従来と同様の伸長弾性変形をするが、太さ一定領域部６は、非伸縮性の連結部がない分だけ、より大きな伸長弾性変形をすることとなり、靴紐９全体として、従来よりも伸長弾性変形が大きくなり、よって、この伸長弾性変形に伴う弾性復帰作用も大きくなり、足甲部２に対する緊締作用がより一層向上することとなる。
【００２３】
しかも、この太さ一定領域部６は、管状に形成される伸縮性部材７に、この伸縮性部材７よりも長尺な非伸縮性部材８が弛み状態で設けられて成り、長手方向に引っ張り作用が生じると伸縮性部材７が伸長弾性変形すると共に、非伸縮性部材８の弛みが減少し、更なる引っ張り操作により非伸縮性部材８の弛みがなくなり緊張状態になることで、この太さ一定領域部６を引っ張り操作しても、それ以上伸長しない伸長制限機能を有する構成となれるから、ゴムひものように引きちぎれるまで伸長することなく、靴紐として引っ張り操作により良好な紐通し作業や締め付け具合調整作業を行うことができることとなる。
【００２４】
このように、本発明は、従来例における問題が解決され、結ぶことをしなくても靴１の足甲部２の締め付け状態を保持することができる靴紐９において、紐通し作業や締め付け具合調整作業をより一層容易に行うことができる実用性に優れた靴紐となる。
【実施例】
【００２５】
本発明の具体的な実施例について図面に基づいて説明する。
【００２６】
本実施例は、本発明の結ばなくても足甲部２の緊締状態を保持することができる靴紐９を具備する靴１である。
【００２７】
具体的には、本実施例の靴紐９は、紐長手方向両側に夫々、靴１の足甲部２の左右に設けられる紐通し孔３の孔径よりも大径に形成されると共に、伸縮自在に弾性変形する構成とされ引っ張り操作により該引っ張り操作方向に伸長弾性変形して前記紐通し孔３の孔径よりも小径形状に変形するこぶ状部４が複数並設されてなるこぶ領域部５と、これら各こぶ領域部５の間の略全域に亘って、紐通し孔３の孔径よりも小径で且つ略一定の太さに形成される太さ一定領域部６とからなる構成とされ、紐通し孔３に挿通され靴１の足甲部２に装着された状態にて最後の紐通し孔３を通過して引き出されたこぶ領域部５を引っ張り操作することで、紐通し孔３の内側に係止するこぶ状部４が引っ張り操作により伸長弾性変形して紐通し孔３よりも小径形状になって紐通し孔３を通過移動して締め上げることができ、この締め上げ状態にて引っ張り操作を解除することで、紐通し孔３を通過したこぶ状部４が小径形状からもとの紐通し孔３の孔径よりも大径な非変形状態に戻り変形して、紐通し孔３に対して戻り通過移動不能な状態となることにより、最後の紐通し孔３から引き出された各こぶ領域部５同士を結ばなくても、引っ張り操作により締め上げた状態が弛まないように構成されている。
【００２８】
より具体的には、こぶ領域部５は、上述したこぶ状部４と、このこぶ状部４間に介在し、こぶ状部４同士を連結するこぶ連結部10とで構成されており、言い換えると、本実施例のこぶ領域部５は、こぶ状部４とこぶ連結部10とが紐長手方向に沿って規則的に交互配置されてなる構成とされている。
【００２９】
また、このこぶ領域部５に設けられる複数のこぶ状部４は、紐通し孔３の孔径よりも大径な略球状体に形成され、そのままの状態（形状）では紐通し孔３を通過することができず、例えば、このこぶ領域部５の長手方向の両端部を手で持って引っ張り操作すると、この引っ張り操作によりこぶ状部４が引っ張り操作方向に伸長弾性変形して紐通し孔３の孔径よりも小径形状、例えばラグビーボールのような形状に変形して、紐通し孔３を通過することができる状態（形状）になり、また、この引っ張り操作を解除すると、こぶ状部４が元の紐通し孔３の孔径よりも大径形状の略球状体の状態に復元する構成とされている。
【００３０】
また、本実施例のこぶ領域部５は、引っ張り操作によってこぶ状部４を伸長弾性変形させて紐通し孔３よりも小径形状にさせながら足甲部２の左右に並設される各紐通し孔３を通過させて締め上げた後、引っ張り操作をやめてこぶ状部４を元の紐通し孔３の孔径よりも大径な、すなわち、言い換えると、紐通し孔３を通過することができない大径形状のこぶ状部４に復元させた際に、この復元したこぶ状部４が、靴１の足甲部２の左右に並設されている紐通し孔３の最も履き口側に位置する最後の紐通し孔３だけ、若しくはこの最後の紐通し孔３とその一つ手前の紐通し孔３だけに戻り係止する長さに設定されている。
【００３１】
具体的には、本実施例のこぶ領域部５は、靴紐９全体の長さの１／４程度の長さに設定されている。すなわち、本実施例の靴紐９は、紐長手方向両側の各こぶ領域部５を合わせると、この靴紐９の約半分の長さをこのこぶ領域部５が占め、残りの半分を後述する太さ一定領域部６が占める構成とされている。
【００３２】
さらに、本実施例のこぶ領域部５について説明すると、本実施例のこぶ領域部５は、引っ張り操作時に、このこぶ領域部５（具体的には、こぶ状部４）の伸長弾性変形量を制限する伸長変形制限機構を具備する構成とされている。
【００３３】
具体的には、本実施例のこぶ領域部５は、こぶ状部４を形成するためのこぶ状部形成用膨出部11とこぶ連結部10を形成するためのこぶ連結部形成用細管部12とが交互に形成される管状のこぶ領域形成用伸縮性部材13と、このこぶ領域形成用伸縮性部材13内に挿通配設される紐状のこぶ領域形成用非伸縮性部材14からなる構成とされ、長手方向に引っ張り作用が生じると、こぶ領域形成用伸縮性部材13が伸長弾性変形し、このこぶ領域形成用伸縮性部材13の伸長弾性変形に伴ってこぶ領域部５に弾性復帰力が生じ、この弾性復帰力により足甲部２を緊締する足甲部緊締作用が生じる構成とされている。
【００３４】
また、こぶ領域形成用非伸縮性部材14は、こぶ領域形成用伸縮性部材13よりも長尺な長さに設定され、こぶ領域形成用伸縮性部材13内に挿通配設される際に、このこぶ領域形成用伸縮性部材13のこぶ状部形成用膨出部11内で弛み状態に配設され、長手方向に引っ張り作用が生じると、こぶ状部形成用膨出部11の伸長弾性変形に伴って弛みが減少し、このこぶ領域形成用非伸縮性部材14の弛みがなくなり緊張状態になることでこぶ領域形成用伸縮性部材13の伸長弾性変形を抑止するように構成され、これにより、こぶ状部４の伸長弾性変形が制限される構成とされている。
【００３５】
また、本実施例の太さ一定領域部６は、前述したように、紐通し孔３の孔径よりも小径で且つ略一定の太さに形成され、上述した靴紐９の両側に設けられたこぶ領域部５の間の略全域に亘る長さに設定されている。
【００３６】
具体的には、本実施例の太さ一定領域部６は、靴１の足甲部２に靴紐９を装着した際（足甲部２の左右に設けられた紐通し孔３に左右交互に通し配設した際）、足甲部２全体の１／２以上を占める（１／２以上に亘って通し配設される）長さに設定されている。
【００３７】
また、本実施例の太さ一定領域部６は、上述のこぶ領域部５と同様、伸長変形制限機構を具備する構成とされている。
【００３８】
具体的には、本実施例の太さ一定領域部６は、管状に形成される伸縮性部材７に、この伸縮性部材７よりも長尺な非伸縮性部材８が弛み状態で挿通配設されてなる構成とされ、長手方向に引っ張り作用が生じると伸縮性部材７が伸長弾性変形し、この伸長弾性変形に伴って弾性復帰力が生じ、この弾性復帰力により足甲部２を緊締する足甲部緊締作用が生じる構成とされると共に、長手方向への引っ張り作用が大きくなるに連れ、伸縮性部材７は引っ張り方向に伸び、非伸縮性部材８は弛みが減少し、この非伸縮性部材８の弛みがなくなった際には、これ以上伸縮性部材７が伸長変形しないように構成されている。なお、本実施例においては、伸縮性部材７とこぶ領域形成用伸縮性部材13とが、天然ゴムや合成ゴム等の伸縮性素材（弾性素材）で一体に形成される構成とされ、また、非伸縮性部材８とこぶ領域形成用非伸縮性部材14とが、ポリエステル、ナイロン、アクリル、ポリウレタン等の非伸縮性素材で一体に形成される構成とされている。
【００３９】
また、上述した靴紐９を具備する本実施例の靴１は、図示するように、一般的なスニーカー形状に構成されているものであり、足甲部２の左右に夫々複数の紐通し孔３が靴先から履き口に向かう方向に沿って並設されている。
【００４０】
また、本実施例の靴１は、左右の側面の夫々に、紐通し孔３に挿通配設した靴紐９の先端部分、すなわち、紐通し孔３に挿通配設し履き口側に位置する最後の紐通し孔３を通過させて外方に引き出された靴紐９の靴紐自由端部15を、この靴１に係止させるための靴紐先端係止部16が設けられている構成とされている。
【００４１】
具体的には、本実施例の靴紐先端係止部16は、非変形状態のこぶ状部４は通過することができず、引っ張り操作により伸長小径化変形したこぶ状部４は通過することができる紐通し孔３とほぼ同等の径寸法に設定された通孔17を有する構成とされている。
【００４２】
すなわち、本実施例の靴紐先端係止部16は、最後の紐通し孔３から引き出された靴紐自由端部15を手で引っ張り操作してこの靴紐自由端部15にあるこぶ状部４を伸長小径化変形させてこの靴紐自由端部15を通孔17に挿通させた後、引っ張り操作をやめて伸長小径化変形したこぶ状部４をそのままでは通孔17を通過することができない元の状態に復元させることで、靴紐９に戻り移動作用が生じてもこの靴紐自由端部15のこぶ状部４が通孔17の周縁部、すなわち、靴紐先端係止部16に戻り係止して、靴紐９の戻り移動が阻止されるように構成されている。
【００４３】
すなわち、本実施例は、最後の紐通し孔３と共にこの靴紐先端係止部16の二箇所で靴紐９の締め上げ状態を保持する二重係止（ダブルロック）構造とされ、締め上げ状態を良好に保持し、靴紐９を結ばなくても靴１の足甲部２の緊締状態が良好に保持される構成とされている。
【００４４】
さらに本実施例の靴紐先端係止部16について説明すると、本実施例の靴紐先端係止部16は、靴１の足甲部２の履き口側に位置する最後の紐通し孔３と、この最後の紐通し孔３を挿通する前に靴紐９が挿通される反対側の最後の紐通し孔３の一つ手前の紐通し孔３とを結ぶ紐通し方向延長線上よりも靴１の先端側に設けられる（配置される）構成とされ、具体的には、本実施例においては、最後の紐通し孔３のほぼ真下に設けられている構成とされている。
【００４５】
すなわち、本実施例は、最後の紐通し孔３を通過し外方に引き出された靴紐９の靴紐自由端部15を、最後の紐通し孔３の真下に位置する靴紐先端係止部16の通孔17に挿通することで、最後の紐通し孔３で靴紐９を大きく屈曲させて引き回し方向を変えることで、靴紐９に戻り移動作用が生じた場合、この屈曲部が戻り移動作用に対する抵抗部となって、より戻り移動しにくくなるように構成されている。
【００４６】
またさらに、本実施例の靴紐先端係止部16に設けられた通孔17は、靴１の側面に沿う方向に穿孔された構成とされ、最後の紐通し孔３から引き出された靴紐自由端部15を手で引っ張り操作してこの靴紐自由端部15にあるこぶ状部４を伸長小径化変形させてこのこぶ状部４を通孔17に挿通させた後、引っ張り操作をやめて伸長小径化変形したこぶ状部４をそのままでは通孔17を通過することができない元の状態に復元させると、この通孔17を挿通させた靴紐自由端部15が靴１の側面に沿設状態に位置決めされるように構成されている。
【００４７】
すなわち、本実施例の靴紐先端係止部16は、靴紐９の締め上げ状態を保持する最後の保持部として構成されるとともに、余った靴紐９の靴紐自由端部15が運動中にバタつかないように所定位置に固定する靴紐端部位置決め部として作用する構成とされている。
【００４８】
以上のように構成される本実施例の作用効果について以下に説明する。
【００４９】
本実施例は、靴紐９を手で引っ張り操作しながらこぶ領域部５に設けられるこぶ状部４を伸長小径化変形させ、靴１の足甲部２の左右に夫々並設される複数の紐通し孔３に左右交互に挿通してこの靴紐９を足甲部２に交差状に引き回し配設し、最後の紐通し孔３を通過させ外方に引き出した靴紐９の靴紐自由端部15を引っ張り操作して締め上げた状態で、さらにこの靴紐自由端部15を靴紐先端係止部16の通孔17に挿通した後、この引っ張り操作をやめると最後の紐通し孔３を通過したこぶ状部４及び靴紐先端係止部16の通孔17を通過した各こぶ状部４の伸長小径化変形が解除され、各こぶ状部４が紐通し孔３及び通孔17を通過することができない元の形状に復元されて、靴紐９に戻り移動作用が生じた場合、最後の紐通し孔３を通過したこぶ状部４（具体的には、この最後の紐通し孔３の出口側に最も近いこぶ状部４）がこの最後の紐通し孔３の周縁部（ハトメ部材）に係止するとともに、靴紐先端係止部16の通孔17を通過したこぶ状部４（具体的には、この通孔17の出口側に最も近いこぶ状部４）がこの通孔17の周縁部、すなわち、靴紐先端係止部16に係止して靴紐９の戻り移動が二箇所で阻止され、靴紐９の締め上げ状態が良好に保持されるので、靴紐９を結ばなくても足甲部２の締め付け状態が確実に保持されるので、靴紐９の結びが不要となる。
【００５０】
また、本実施例は、靴紐９の紐長手方向両側に設けられた各こぶ領域部５の間の略全域に亘って、紐通し孔３の孔径よりも小径で且つ略一定の太さに形成される太さ一定領域部６が形成される構成とされているから、この太さ一定領域部６を靴１の紐通し孔３に挿通して足甲部２に装着する際、滑らかで引っ掛かりがなくスムーズに紐通し作業を行うことができ、また、締め付け具合調整作業においても、紐通し作業と同様、引っ掛かりが無いので、容易に且つスムーズに調整作業を行うことができる。
【００５１】
また、従来のこの種の靴紐は、靴紐の全体に亘って大なり小なりのこぶ部が配置されていて、具体的には、伸縮自在に弾性変形するこぶ部と、非伸縮性の連結部とが間隔をおいて交互に配置されている構成とされるので、引っ張り操作において、連結部は非伸縮性のため、こぶ部のみが伸長弾性変形するが、本実施例の太さ一定領域部６は、前述の非伸縮性の連結部がなく、太さ一定領域部６全体が伸縮自在に弾性変形するので、引っ張り操作において、こぶ状部４が配置されるこぶ領域部５は従来と同様の伸長弾性変形をするが、太さ一定領域部６は、非伸縮性の連結部がない分だけ、より大きな伸長弾性変形をすることとなり、靴紐９全体として、従来よりも伸長弾性変形が大きくなり、よって、この伸長弾性変形に伴う弾性復帰作用も大きくなり、足甲部２に対する緊締作用がより一層向上することとなり、これにより、靴１の足へのフィット感が向上し、しかも、この靴紐９全体の伸縮性に加え、太さ一定領域部６が紐通し孔３を自在に通過可能なので、この足甲部締め付け付勢の度合い、言い換えると、靴紐９の足甲部２に対する緊締具合がよりスムーズに自然調整されることとなる。
【００５２】
すなわち、足は左右非対称形であるとともに、その足甲頂点には多くの血管が存在し、靴紐で緊締することで血流が阻まれ、歩行や長時間立っていることで足全体がむくみ、ひいてはからだ全体の血流を悪くすることがあるが、本実施例は、上記作用により長時間の歩行や立ち作業でむくみが生じても、このむくみに応じて緊締具合がスムーズに自然に調整されるので、足甲における血流が阻まれることがなく、この血流悪化による健康被害の発生を防止することができるものとなる。
【００５３】
またさらに、本実施例は、靴紐９の半分は、こぶ状部４がない太さ一定領域部６となるので、足甲部２におけるこぶ状部４が少なく、従来品よりもさらに見た目がすっきりしたものとなる。
【００５４】
尚、本発明は、本実施例に限られるものではなく、各構成要件の具体的構成は適宜設計し得るものである。
【符号の説明】
【００５５】
１  靴
２  足甲部
３  紐通し孔
４  こぶ状部
５  こぶ領域部
６  太さ一定領域部
７  伸縮性部材
８  非伸縮性部材
９  靴紐
【図１】
2019033923.tif 000003
【図２】
2019033923.tif 000004
【図３】
2019033923.tif 000005
【図４】
2019033923.tif 000006
【図５】
2019033923.tif 000007
【図６】
2019033923.tif 000008
【図７】
2019033923.tif 000009
【図８】
2019033923.tif 000010
【図９】
2019033923.tif 000011
【図１０】
2019033923.tif 000012
【図１１】
2019033923.tif 000013